(57)【要約】【課題】会合の際には視認性に優れた席札とし、会合終了後には記念品として持ち帰り手拭として再利用可能な席札を提供する。【解決手段】中空のケース２と、ケース２に収納可能なシート状物３と、ケース２の所定領域を切り欠いて形成された貫通部２０と、シート状物３に出席者の識別情報を表示する表示部２２とを備え、表示部２２を貫通部２０から視認可能な位置に配置したことにより、会合の出席者は、シート状物３に表示された表示部２２の識別情報に基づき、各自の席を探して着席し、会合終了後は席札１を記念品として持ち帰り、ケース２からシート状物３を取り出して手拭として再利用することできる。【選択図】図１
0003140341.tif 000002
【実用新案登録請求の範囲】
【請求項１】
中空のケースと、該ケースに収納可能なシート状物と、前記ケースの所定領域を切り欠いて前記ケース内外を貫通する貫通部と、前記シート状物に出席者の識別情報を表示する表示部とを備え、
前記表示部を前記貫通部から視認可能な位置に配置したものとしたことを特徴とする席札。
【請求項２】
前記表示部を、前記出席者の名前表示部又は名称表示部、或いは、これらの略称表示部又はイニシャル表示部としたことを特徴とする請求項１記載の席札。
【請求項３】
前記貫通部周辺に、前記表示部に対応した副表示部を備えたことを特徴とする請求項１又は２に記載の席札。
【請求項４】
前記副表示部を、前記出席者の敬称表示部としたことを特徴とする請求項３記載の席札。
【請求項５】
前記シート状物を、タオル又はハンカチとしたことを特徴とする請求項１〜４のいずれか１項に記載の席札。
【請求項６】
前記シート状物を、紙又は不織布からなるものとしたことを特徴とする請求項１〜４のいずれか１項に記載の席札。
【請求項７】
前記表示部に、刺繍部又は印刷部を備えたことを特徴とする請求項１〜６のいずれか１項に記載の席札。
【請求項８】
前記ケースを、円柱、円錐、多角柱、多角錐、裁頭角錐、又は、裁頭円錐に形成されたものとしたことを特徴とする請求項１〜７のいずれか１項に記載の席札。
【請求項９】
前記ケースより突出して形成された装飾部を備えたことを特徴とする請求項１〜８のいずれか１項に記載の席札。
【考案の詳細な説明】
【技術分野】
【０００１】
本考案は、結婚披露宴、その他の各種宴会、会議等の会合において、出席者の席位置を案内するための席札に関する。
【背景技術】
【０００２】
従来、会合で出席者の座席を指定する席札としては、テーブル上に出席者の氏名を記入したものを配置していた。
【０００３】
このときテーブルに配置するものの形態としては、多角柱や多角錐等の立体に出席者の氏名をそのまま記入したものや、氏名を記入したものを貼り付けたものがあった（特許文献１）。
【特許文献１】特開平０６−０２１０６８号公報
【考案の開示】
【考案が解決しようとする課題】
【０００４】
しかし、従来の席札は、席札としての使用後に出席者が持ち帰り、日常生活で再利用できるものがないという問題点があった。
【０００５】
そこで、本考案は上記問題点を改善するため、会合の際には視認性に優れた席札とし、会合終了後には記念品として持ち帰り手拭として再利用可能な席札を提供することを目的とする。
【課題を解決するための手段】
【０００６】
請求項１記載の本考案は、中空のケースと、該ケースに収納可能なシート状物と、前記ケースの所定領域を切り欠いて前記ケース内外を貫通する貫通部と、前記シート状物に出席者の識別情報を表示する表示部とを備え、前記表示部を前記貫通部から視認可能な位置に配置したものとしたことを特徴とする。
【０００７】
請求項２記載の本考案は、請求項１記載の席札において、前記表示部を、前記出席者の名前表示部又は名称表示部、或いは、これらの略称表示部又はイニシャル表示部としたことを特徴とする。
【０００８】
請求項３記載の本考案は、請求項１又は２に記載の席札において、前記貫通部周辺に、前記表示部に対応した副表示部を備えたことを特徴とする。
【０００９】
請求項４記載の本考案は、請求項３記載の席札において、前記副表示部を、前記出席者の敬称表示部としたことを特徴とする。
【００１０】
請求項５記載の本考案は、請求項１〜４のいずれか１項に記載の席札において、前記シート状物を、タオル又はハンカチとしたことを特徴とする。
【００１１】
請求項６記載の本考案は、請求項１〜４のいずれか１項に記載の席札において、前記シート状物を、紙又は不織布からなるものとしたことを特徴とする。
【００１２】
請求項７記載の本考案は、請求項１〜６のいずれか１項に記載の席札において、前記表示部に、刺繍部又は印刷部を備えたことを特徴とする。
【００１３】
請求項８記載の本考案は、請求項１〜７のいずれか１項に記載の席札において、前記ケースを、円柱、円錐、多角柱、多角錐、裁頭角錐、又は、裁頭円錐に形成されたものとしたことを特徴とする。
【００１４】
請求項９記載の本考案は、請求項１〜８のいずれか１項に記載の席札において、前記ケースより突出して形成された装飾部を備えたことを特徴とする。
【考案の効果】
【００１５】
請求項１の考案によれば、会合の出席者は、シート状物に表示された表示部の識別情報に基づき、各自の席を探して着席し、会合終了後は席札を記念品として持ち帰り、ケースからシート状物を取り出して手拭として再利用することできる。
【００１６】
請求項２の考案によれば、シート状物を手拭として使用する際に、シート状物は出席者の氏名又は名称、或いは、これらの略称又はイニシャルという最低限度の識別情報のみが表示された表示部を備えたものであるから、名前又はイニシャル入りの手拭として再利用することができ、手拭としての使い勝手を向上させることができる。
【００１７】
請求項３の考案によれば、ケースにシート状物の表示部に表示された識別情報に対応した情報を表示する副表示部を備えたことにより、シート状物には出席者が各自の席だとわかるだけの必要最低限度の識別情報を表示する表示部を備えるだけでよく、シート状物を手拭として使用した場合の使い勝手を向上させることができる。
【００１８】
請求項４の考案によれば、シート状物には出席者が各自の席だとわかるだけの必要最低限度の識別情報を表示する表示部を備えるだけでよく、シート状物を手拭として使用した場合に、シート状物に表示された出席者の識別情報はそのまま、シート状物たる手拭の所有者の識別情報となり、手拭としての使い勝手を向上させることができる。
【００１９】
請求項５の考案によれば、席札のシート状物を手拭として再利用する際に、手拭を各種用途に合わせて使用可能なものとすることができる。
【００２０】
請求項６の考案によれば、席札のシート状物を手拭として再利用する際に、手拭を各種用途に合わせて使用可能なものとすることができる。
【００２１】
請求項７の考案によれば、表示部を装飾性に優れたものとするとともに、人手のかからない機械により処理可能とすることで表示部にかかる処理速度を向上させ、生産コストを削減することができる。
【００２２】
請求項８の考案によれば、ケースを円柱、円錐、多角柱、多角錘、裁頭角錐、又は、裁頭円錐等の立体形状とすることで、席札としての視認性を向上させ、またシート状物をケースに収納する際に入れ易い形状とするとともに、収納されたシート状物がケースから容易には脱落し難い形状とすることができる。
【００２３】
請求項９の考案によれば、席札としての視認性を向上させることができると共に、この装飾部に各種情報を表示させることで、この席札の装飾性、視認性及び識別性を向上させることもできる。
【考案を実施するための最良の形態】
【００２４】
本考案における好適な実施の形態について、添付図面を参照して説明する。尚、以下に説明する実施の形態は、特許請求の範囲に記載された本考案の内容を限定するものではない。また、以下に説明される構成の全てが、本考案の必須要件であるとは限らない。
【実施例１】
【００２５】
以下、本考案の席札１の実施例１について、図１〜図４を参照しながら説明する。
【００２６】
図１に示すように席札１は、中空なケース２と、このケース２に収納可能なシート状物３を備えている。
【００２７】
図２に示すようにケース２は、厚紙、金属製或いは合成樹脂製の薄板等から形成される長方形状のケース本体４に、ケース本体４の短手方向における一方の辺５と平行な折り曲げ部６,７,８をケース本体４の長手方向に３箇所並設している。ここで、各折り曲げ部６,７,８とケース本体４の長手方向における一対の辺９,１０とによって区画されるケース本体４の４つの面を、前記短手方向の一方の辺５側から第１面１１、第２面１２、第３面１３、第４面１４とする。
【００２８】
また、ケース本体４の第１面１１側と第４面１４側とを接続する接続手段１５として、ケース本体４の短手方向の一方の辺５よりケース本体４の長手方向に突出して形成された係合凸部１６と、第４面１４の中央部分にケース本体４の短手方向と平行に形成され、係合凸部１６が係合可能なスリット状の係合凹部１７とを備えている。
【００２９】
ここで、ケース本体４は、各折り曲げ部６,７,８を山折りにし、係合凸部１６と係合凹部１７とを係合させると三角筒状に形成され、ケース本体４の長手方向の一対の辺９,１０をそれぞれ縁部とした三角形状の第１の開口部１８及び第２の開口部１９を備えている。
【００３０】
またケース本体４には、第２面１２の中央部分を長方形状に切り欠いて形成され、ケース２の内外を貫通する貫通部２０を備えるとともに、貫通部２０周辺には副表示部としての敬称表示部２１に表示される「様」が印刷、刺繍等より形成されている。
【００３１】
ここで副表示部としての敬称表示部２１に表示される情報としては、図中に示す「様」以外に、「殿」、「先生」、「さん」、「君」、又は、「ちゃん」等の敬称を表す文字があり、出席者や会合に合わせて適宜変更可能である。
【００３２】
図４に示すようにシート状物３は、略方形に形成されたタオルからなり、シート状物３の中央部分に符号２２で表される「○○○○○」は、出席者の識別情報として出席者の名前がシート状物３に刺繍された刺繍部２２Ａ又は印刷された印刷部（図示せず）を備えた表示部としての名前表示部２２である。ここで、前記名前表示部２２以外の表示部としては、出席者の名称がシート状物３に刺繍された刺繍部又は印刷された印刷部を備えた名称表示部、出席者の名前又は名称のニックネーム等の略称がシート状物３に刺繍された刺繍部又は印刷された印刷部を備えた略称表示部、出席者の名前又は名称のイニシャルがシート状物３に刺繍された刺繍部又は印刷された印刷部を備えたイニシャル表示部があり、図中において出席者の識別情報である「○○○○○」の内容は上記各表示部の中から適宜選択可能なものとする。ここで、表示部たる名称表示部２２に備えた刺繍部２２Ａ又は印刷部（図示せず）は、手作業又は機械処理により形成可能であるが、ここでは作業時間短縮の観点から機械処理によって形成されることが好ましい。また、敬称表示部２１の形成も同様の理由により機械処理によって形成されることが好ましい。
【００３３】
以上の構成を備えた席札１についてその作用効果を述べると、席札１を結婚披露宴、その他の各種宴会、会議等の会合のテーブルに載置する場合、図１に示すようにケース２内部にシート状物３を収納した席札１を構成するには、シート状物３の表示部２２を表に向けた状態のまま、ケース２に収納可能なように任意の形状に折り畳み、ケース２の第１の開口部１８又は第２の開口部１９よりケース２内部に収納して構成している。
【００３４】
この場合、シート状物３の表示部２２をケース２の貫通部２０より視認可能な位置に配置すると共に、シート状物３の表示部２２とケース２の副表示部２１の位置及び向きを、図１に示すように出席者の氏名又は名称、或いは、これらのニックネーム等の略称又はイニシャル等の識別情報が形成された表示部２２の後ろに、この出席者の前記識別情報に対応する敬称が形成された副表示部２１がくるように配置させる。
【００３５】
このようにケース２内部にシート状物３を収納した席札１を、接続手段１５によって接続された第１面１１及び第４面１４を底部として、各出席者の座席が用意されているテーブルの上に載置していく。ここで、席札１は、外形を三角柱形状に形成された立体形状としているため、貫通部２０を備えた第２面１２がやや上向きとなることで視認性に優れており、出席者は席札１に設けられた各出席者の出席者の名前又は名称、或いは、これらのニックネーム等の略称又はイニシャル等の識別情報「○○○○○」が形成された表示部２２により、各自の席を容易に見つけることができる。
【００３６】
会合終了後は、席札１を記念品として持ち帰り、ケース２からシート状物３を取り出すと、シート状物３は普段使いのタオルとして使用することが可能となる。この場合、シート状物３の表示部２２には、出席者の氏名又は名称、或いは、これらのニックネーム等の略称又はイニシャル等の必要最低限度の識別情報「○○○○○」のみが、刺繍又は印刷によって形成されており、名前入りのタオルとして普段の生活で違和感を生じさせることなく使用できる。
【００３７】
また、式終了後には、出席者には出席者各自の前記識別情報が表示されているシート状物３を記念品として渡し、出席者の識別情報が一切表示されていないケース２については、会合関係者が回収して、別のシート状物３と組み合わせて、別の会合で席札１として再利用することにより、資源の再利用を図ることができる。
【００３８】
尚、本考案は上記構成に限定されるものではなく、種々の変形が可能である。例えば、本実施例ではシート状物３の一例として、タオルを例に挙げたが、本考案のシート状物３はタオルに限定されるものではなく、例えばハンカチーフとしたり、シート状物３を紙又は不織布等からなるものに適宜変更可能である。
【００３９】
また、表示部２２は、表示される出席者の識別情報として、出席者の氏名又は名称、或いは、これらのニックネーム等の略称又はイニシャルを、個々に形成するだけでなく、これらを適宜組み合せたものでも構わないものとする。この場合、表示部２２に表示される出席者の識別情報が増えることにより、席札１としての視認性を向上させるだけでなく、シート状物３を手拭として使用した場合の装飾性を向上させることができる。
【００４０】
さらに、敬称表示部２１に形成される情報としては、表示部２２に形成される出席者の氏名又は名称、或いは、ニックネーム等の略称又はイニシャル等の後に続いて用いられる敬称「様」、「さま」、「殿」、「先生」、「さん」、「君」又は「ちゃん」等に限らず、出席者の肩書きとしたり、図５に示すような表示部２２に形成される出席者の氏名又は名称、或いは、ニックネーム等の略称又はイニシャル等の前に配置されて使用される敬称「Mr.」、「Miss」、「Mrs.」、「Ms.」、「Sir」、「Dr.」等であっても構わないものとする。
【００４１】
また、敬称表示部２１以外の副表示部としては、上記の敬称以外の文字、記号又は図形であっても構わないものとする。
【００４２】
さらに、貫通部２０周辺に設けられる副表示部２１は１箇所に限定されるものではなく、複数箇所に設けても構わないものとする。
【００４３】
また、席札１の置き方についても、図１に示す第１面〜第４面１１,１２,１３,１４のいずれかの面を底部として、ケース２を横に倒した状態とする横置きとする以外にも、図６に示す第１の開口部１８又は第２の開口部１９のいずれか一方を底部として、ケース２を立てた状態とする縦置きとしても構わないものとする。この場合、ケース２の縦置き又は横置きに合わせて、表示部２２及び副表示部２１の文字、記号、又は図形等の向きも縦向き又は横向きに合わせておくことが好ましい。
【００４４】
さらに、ケース２の形状についても、多角柱たる三角柱形状としての三角筒に限定されるものではなく、図７に示す多角柱たる四角柱形状、図８に示す円柱形状、図９に示す多角錐たる四角錘形状、図１０に示す円錐形状等の柱形状又は錘形状や、図１１に示す裁頭角錐形状、図１２に示す裁頭円錐形状等であってもよく、その形状については各会合の雰囲気や内部に収納されるシート状物３に合わせて適宜変更可能である。この場合、ケース２の形状を各会合の雰囲気に適した形状とすることで、会合の雰囲気を損うことの無い席札１を提供することができる。また、ケース２の形状を、内部に収納するシート状物３の大きさ、形状又は素材に合わせた形状とすることで、ケース２にシート状物３を収納する作業性や装飾性を向上させることができる。
【００４５】
また、図１３に示すように折り曲げ部７よりケース２の外部に突出して設けられる装飾部２３を備えても構わないものとする。また装飾部２３は、出席者又はテーブルごとに異なる形状としても構わないものとし、装飾部２３の形状についても適宜変更が可能である。この場合、席札１の装飾性が向上するだけでなく、席札１又はテーブルごとの識別性が向上し、出席者は各自の席を探し易くなる。ここで、ケース２に設けられる装飾部２３の形状について、図１３に示すような鋸刃状に形成されたものに限定されるものではなく、上面が直線状に形成された短冊状や上面が曲線状に形成された円弧状に形成されたものであってもよく、その形状は適宜変更可能である。また、この装飾部２３については、折り曲げ部より突出したものに限定されるものではなく、長手方向の一対の辺９,１０より突出したものであっても構わないとともに、この装飾部２３は配置される箇所についても一箇所に限定されるものではなく、その配置箇所についても適宜変更可能である。
【００４６】
さらに、装飾部２３に「祝」、「寿」等の表書、テーブル名、又は、各種会合名等の文字、記号又は図形等を表示することにより、席札１の装飾性、視認性及び識別性を向上させることができる。
【００４７】
また、貫通部２０の形状についても長方形に限定されるものではなく、円形、楕円形又は多角形やこれらを組み合せた形状であっても構わないものとする。
【００４８】
さらに、シート状物３に設けられる表示部２２の位置に関しても、図４に示すシート状物３の中央部分以外に、シート状物３の隅や角に設けても構わないものとする。
【００４９】
また、シート状物３の形状についても図４に示す略方形以外に、長方形、円形、楕円形、多角形等のその他形状であっても構わないものとする。
【００５０】
以上のように本実施例は請求項１に対応して、中空のケース２と、ケース２に収納可能なシート状物３と、ケース２の所定領域を切り欠いてケース２内外を貫通する貫通部２０と、シート状物３に出席者の識別情報を表示する表示部２２とを備え、表示部２２を貫通部２０から視認可能な位置に配置したものである。
【００５１】
この場合、会合の出席者は、シート状物３に形成された表示部２２の識別情報に基づき、各自の席を探して着席し、会合終了後は席札１を記念品として持ち帰り、ケース２からシート状物３を取り出して手拭として再利用することできる。
【００５２】
また本実施例は請求項２に対応して、表示部２２を、出席者の名前表示部又は名称表示部、或いは、これらの略称表示部又はイニシャル表示部としたことにより、シート状物３を手拭として使用する際に、シート状物３は出席者の氏名又は名称、或いは、これらの略称又はイニシャルという最低限度の識別情報のみが表示された表示部２２を備えたものであるから、名前又はイニシャル入りの手拭として再利用することができ、手拭としての使い勝手を向上させることができる。
【００５３】
さらに本実施例は請求項３に対応して、貫通部２０周辺に、表示部２２に対応した副表示部２１を備えたことにより、ケース２にシート状物３の表示部２２に表示された識別情報に対応した情報を表示する副表示部２１を備えたことにより、シート状物３には出席者が各自の席だとわかるだけの必要最低限度の識別情報を表示する表示部２１を備えるだけでよく、シート状物３を手拭として使用した場合の使い勝手を向上させることができる。
【００５４】
また本実施例は請求項４に対応して、副表示部２１を、出席者の敬称表示部としたことにより、シート状物３には出席者が各自の席だとわかるだけの必要最低限度の識別情報を表示する表示部２２を備えるだけでよく、シート状物３を手拭として使用した場合に、シート状物３に表示された出席者の識別情報はそのまま、シート状物３たる手拭の所有者の識別情報となり、手拭としての使い勝手を向上させることができる。
【００５５】
さらに本実施例は請求項５に対応して、シート状物３を、タオル又はハンカチとしたことにより、席札１のシート状物３を手拭として再利用する際に、手拭を各種用途に合わせて使用可能なものとすることができる。
【００５６】
また本実施例は請求項６に対応して、シート状物３を、紙又は不織布からなるものとしたことにより、席札１のシート状物３を手拭として再利用する際に、手拭を各種用途に合わせて使用可能なものとすることができる。
【００５７】
さらに本実施例は請求項７に対応して、表示部２２に、刺繍部２２Ａ又は印刷部（図示せず）を備えたことにより、表示部２２を装飾性に優れたものとするとともに、人手のかからない機械により処理可能とすることで表示部２２にかかる処理速度を向上させ、生産コストを削減することができる。
【００５８】
また本実施例は請求項８に対応して、ケース２を、円柱、円錐、多角柱、多角錐、裁頭角錐、又は、裁頭円錐に形成されたものとしたことにより、席札１としての視認性を向上させ、またシート状物３をケース２に収納する際に入れ易い形状とするとともに、収納されたシート状物３がケース２から容易には脱落し難い形状とすることができる。
【００５９】
さらに本実施例は請求項９に対応して、ケース２より突出して形成された装飾部２３を備えたことにより、席札１としての視認性を向上させることができると共に、この装飾部２３に各種情報を表示させることで、この席札１の装飾性、視認性及び識別性を向上させることもできる。
【図面の簡単な説明】
【００６０】
【図１】本考案の一実施例を示す席札の斜視図である。
【図２】同上、ケースの平面図である。
【図３】同上、ケースの斜視図である。
【図４】同上、シート状物の平面図である。
【図５】同上、本考案のケースの変形例を示す席札の斜視図である。
【図６】同上、本考案のケースの変形例を示す斜視図である。
【図７】同上、本考案のケースの変形例を示す席札の斜視図である。
【図８】同上、本考案のケースの変形例を示す席札の斜視図である。
【図９】同上、本考案のケースの変形例を示す席札の斜視図である。
【図１０】同上、本考案のケースの変形例を示す席札の斜視図である。
【図１１】同上、本考案のケースの変形例を示す席札の斜視図である。
【図１２】同上、本考案のケースの変形例を示す席札の斜視図である。
【図１３】同上、本考案のケースに装飾部を備えた変形例を示すケースの斜視図である。
【符号の説明】
【００６１】
１  席札
２  ケース
３  シート状物
２０  貫通部
２１  副表示部
２２  表示部
２２Ａ  刺繍部
２３  装飾部
【図１】
0003140341.tif 000003
【図２】
0003140341.tif 000004
【図３】
0003140341.tif 000005
【図４】
0003140341.tif 000006
【図５】
0003140341.tif 000007
【図６】
0003140341.tif 000008
【図７】
0003140341.tif 000009
【図８】
0003140341.tif 000010
【図９】
0003140341.tif 000011
【図１０】
0003140341.tif 000012
【図１１】
0003140341.tif 000013
【図１２】
0003140341.tif 000014
【図１３】
0003140341.tif 000015